(57)【要約】【課題】上り方向の通信に時分割多重方式を使用する光通信システムの構築コストを低減する。【解決手段】分岐多重装置は、局装置と複数の端末側装置との通信を仲介する。この分岐多重装置において、変調器３０６−１〜３０６−４は下り信号光から再生されたクロックＣＬＫ１のタイミングで下り多重光Ｄ０を時分割分離する。上り信号光Ｕ１〜Ｕ４は、可変遅延器３０９−１〜３０９−４、変調器３０６−１〜３０６−４および光／電気変換器３０７−１〜３０７−４を介して可変遅延器駆動回路３０８−１〜３０８−４に入力される。変調器３０６−１〜３０６−４から出力される上り信号光Ｕ１〜Ｕ４の光強度は、下り光とのタイミング一致度に応じて変化する。可変遅延器駆動回路は、上り信号光の光強度が最大になるように可変遅延器３０９−１〜３０９−４の遅延時間を調整する。これにより、上り信号光Ｕ１〜Ｕ４を時分割多重することができる。【選択図】図３
2006319899.tif 000002
【特許請求の範囲】
【請求項１】
第１波長の下り信号光を含む下り光波を局装置で生成し、分岐多重装置で分岐させて複数の端末側装置に送信するとともに、第２波長の上り信号光を前記複数の端末側装置でそれぞれ生成し、前記分岐多重装置で時分割多重化して前記局装置に送信する光通信システムであって、
前記分岐多重装置が、
前記下り光波を用いて、前記下り信号光に同期するクロックを再生するクロック再生器と、
対応する前記端末側装置から受信された前記上り信号光を遅延させて出力する複数の可変遅延器と、
一端から入力した前記下り光波を前記クロックに基づいて時分割分離した後で他端から出力し、且つ、対応する前記可変遅延器が出力した前記上り信号光を前記他端から入力して前記一端から出力する、複数の変調器と、
当該変調器が出力した前記上り信号光の光強度が最大になるように、対応する前記可変遅延器の遅延時間を調整する、複数の可変遅延器駆動回路と、
を有することを特徴とする光通信システム。
【請求項２】
前記下り光波が前記第２波長の搬送光を含み、且つ、前記複数の端末側装置がそれぞれ当該搬送光を用いて前記上り信号光を生成する請求項１に記載の光通信システム。
【請求項３】
前記クロック再生器が、前記下り信号光から同期クロックを再生することを特徴とする請求項１または２に記載の光通信システム。
【請求項４】
前記下り信号光が時分割多重された信号列であり、且つ、前記局装置が、
複数系統の電気信号列を時分割多重化する電気多重回路と、
当該電気多重回路で多重化された電気信号列を光信号列に変換することによって前記下り信号光を生成する電気／光変換器と、
当該下り信号光と前記搬送光とを波長多重化する光カプラと、
を備えることを特徴とする請求項２または３に記載の光通信システム。
【請求項５】
前記局装置が前記下り信号光と同周期の光パルスを前記搬送光として生成し、且つ、前記クロック再生器が前記下り光波から当該搬送光を波長分離することによって前記クロックを再生することを特徴とする請求項２に記載の光通信システム。
【請求項６】
前記下り信号光が時分割多重された信号列であり、且つ、前記局装置が、
前記第１波長の搬送光と前記第２波長の搬送光とを波長多重化する第１光カプラと、
基準クロックを用いて、当該第１光カプラが出力する波長多重搬送光から光短パルス列を生成する変調器と、
当該変調器が出力する光パルスを前記第１波長の光短パルス列と前記第２波長の光短パルス列とに波長分離する第２光カプラと、
前記基準クロックに同期した複数系統の電気信号列を出力する送信信号源と、
当該電気信号列と前記第１波長の光短パルス列とを用いて前記下り信号光を生成する光時分割多重回路と、
当該下り信号光と前記第２波長の光短パルス列とを波長多重する第３光カプラと、
を備えることを特徴とする請求項５に記載の光通信システム。
【請求項７】
前記局装置が、複数系統の信号列に識別情報を付加した後でこれらの信号列を連結することにより前記下り信号光を生成し、
前記分岐多重装置が、前記変調器で時分割分離された前記下り光波を再び時分割多重して前記複数の端末側装置にそれぞれ送信し、且つ、
前記端末側装置が、前記識別情報を用いて、受信した前記下り光波から自己宛の信号列を判別する、
ことを特徴とする請求項１、２、３または５に記載の光通信システム。
【発明の詳細な説明】
【技術分野】
【０００１】
この発明は、上り方向の通信に時分割多重方式を使用する光通信システムに関する。この発明は、例えば、ＦＴＴＨ(Fiber To The Home) などの加入者系光通信システムに適用することができる。
【背景技術】
【０００２】
従来の光通信システムとして、上り信号用搬送波（すなわち端末側装置から局装置に信号を送信するための搬送波）を、局装置側で生成して端末側装置に供給するものが知られている。このような光通信システムは、例えば、下記特許文献１の段落０００２〜０００８および図１４に開示されている。特許文献１では、波長分割多重方式(WDM:Wavelength Division Multiplexing)の光通信システムにおいて、局装置（同文献ではＯＳＵ５０）から端末側装置（同文献ではＯＮＵ７０−１〜７０−ｎ）に、下り信号光と上り信号用搬送光とが波長多重されて送信される。端末側装置は、受信した波長多重光から上り信号用搬送光を分離して、上り信号光の生成に利用する。このような光通信システムによれば、上り信号用搬送波を生成するための光源を個々の端末側装置に設ける必要が無く、局装置内に設けた光源で共通化することができる。そして、このような光源の共通化により、端末側装置のコストを低減することができ、ひいてはシステム全体としての構築コストを低減することができる。
【０００３】
また、従来の光通信システムとして、上り方向の通信に時分割多重方式(TDM:Time Division Multiplexing)を用いたものが知られている。このような光通信システムは、例えば、下記特許文献２の段落０００３および図７に開示されている。上り方向の通信に時分割多重方式を用いる場合、異なる端末側装置（同文献では加入者光端末１５）から送信された信号どうしが衝突しないように、タイミングを制御する必要がある。このために、特許文献２のシステムでは、局装置（同文献では局側装置１４）から端末側装置に、上り方向の送信タイミングを制御するための制御信号が送信される。光通信システムでは、局装置からの距離が、端末側装置ごとに異なる。このため、上り方向の信号の衝突を防止するためには、この距離差を考慮して各端末側装置の送信タイミングを制御する必要がある。
【特許文献１】特開２００４−２２２２５５号公報
【特許文献２】特開平１１−２９８４３０号公報
【発明の開示】
【発明が解決しようとする課題】
【０００４】
特許文献１のシステムでは、上り方向の通信に波長分割多重方式を用いているため、多種類の波長を使用する必要があり、システム構築コストは依然として高価である。したがって、それほど大きな帯域を必要としない場合には、上り方向の通信に時分割多重方式を使用することが望ましい。
【０００５】
しかしながら、上述のように、上り方向の通信に時分割多重方式を使用する光通信システムでは、局装置と各端末側装置との距離差を考慮した上で、送信タイミングを制御する必要がある（特許文献２参照）。このようなタイミング制御は、局装置や端末側装置の処理を複雑にし、システムのコストを十分に低減できない原因になる。
【０００６】
この発明の解決課題は、上り方向の通信に時分割多重方式を使用する光通信システムのシステム構築コストを低減させることにある。
【課題を解決するための手段】
【０００７】
この発明は、第１波長の下り信号光を含む下り光波を局装置で生成し、分岐多重装置で分岐させて複数の端末側装置に送信するとともに、第２波長の上り信号光を複数の端末側装置でそれぞれ生成し、分岐多重装置で時分割多重化して局装置に送信する光通信システムに関する。
【０００８】
そして、分岐多重装置が、下り光波を用いて下り信号光に同期するクロックを再生するクロック再生器と、対応する端末側装置から受信された上り信号光を遅延させて出力する複数の可変遅延器と、一端から入力した下り光波をクロックに基づいて時分割分離した後で他端から出力し且つ対応する可変遅延器が出力した上り信号光を他端から入力して一端から出力する複数の変調器と、変調器が出力した上り信号光の光強度が最大になるように対応する可変遅延器の遅延時間を調整する複数の可変遅延器駆動回路とを有する。
【発明の効果】
【０００９】
この発明によれば、分岐多重装置が、上り信号光の繰り返し周期に基づいて、当該上り信号光の時分割多重を行うことができる。このため、この発明では、局装置および端末側装置は上り信号光のタイミング制御を行う必要がなく、したがって、光通信システムの構築コストを低減させることができる。
【発明を実施するための最良の形態】
【００１０】
以下、この発明の実施形態について、図面を用いて説明する。なお、図中、各構成成分の大きさ、形状および配置関係は、この発明が理解できる程度に概略的に示してあるにすぎず、また、以下に説明する数値的条件は単なる例示にすぎない。
【００１１】
第１実施形態
この発明の第１実施形態に係る光通信システムについて、図１〜図８を用いて説明する。
【００１２】
図１は、この実施形態に係る加入者系光通信システム１００の全体構成を概念的に示すブロック図である。
【００１３】
図１に示したように、光通信システム１００は、１台の局装置１１０と、１台の分岐多重装置１２０と、複数台（この実施形態では４台とする）の端末側装置１３０−１〜１３０−４と、光ファイバ１４０，１５０−１〜１５０−４とを備える。
【００１４】
局装置１１０は、時分割多重信号列を含む第１波長λ１の下り信号光Ｐｄと信号成分を含まない第２波長λ２の搬送光Ｐｃとを含む下り波長多重光Ｄ０を生成し、光ファイバ１４０を介して分岐多重装置１２０に送信する。また、局装置１１０は、時分割多重された上り信号光Ｕ０を、分岐多重装置１２０から、光ファイバ１４０を介して受信し、時分割分離する。
【００１５】
分岐多重装置１２０は、局装置１１０から受信した下り波長多重光Ｄ０を、波長多重されたまま時分割分離することにより、波長多重光Ｄ１〜Ｄ４を生成する。そして、分岐多重装置１２０は、これら波長多重光Ｄ１〜Ｄ４を、光ファイバ１５０−１〜１５０−４を介して、各端末側装置１３０−１〜１３０−４に送信する。また、分岐多重装置１２０は、各端末側装置１３０−１〜１３０−４から受信した上り信号光Ｕ１〜Ｕ４を時分割多重化することにより時分割多重光Ｕ０を生成し、局装置１１０に送信する。なお、この多重分岐装置１２０には、波形の劣化を防ぐために、分散補償器が組み込まれている場合もある。
【００１６】
端末側装置１３０−１〜１３０−４は、対応する波長多重光Ｄ１〜Ｄ４を受信して、第２波長λ２の搬送光を分離する。そして、端末側装置１３０−１〜１３０−４は、この搬送光を変調することによって上り信号光Ｕ１〜Ｕ４を生成し、分岐多重装置１２０に送信する。
【００１７】
図２は、局装置１１０の内部構成を概略的に示すブロック図である。なお、図２において、実線の信号線は光信号配線を示し、点線の信号線は電気信号配線を示す（図３、４、９、１０、１２、１３、１４および１６において同じ）。
【００１８】
図２に示したように、局装置１１０は、時分割多重回路２０１と、電気／光変換器２０２と、レーザ光源２０３と、光アイソレータ２０４と、光カプラ２０５と、光サーキュレータ２０６と、光／電気変換器２０７と、時分割分離回路２０８とを備えている。
【００１９】
時分割多重回路２０１は、外部装置（図示せず）から入力した４系統の電気信号列（例えば通信パケット）Ｅｄ１〜Ｅｄ４を時分割多重化して出力する。
【００２０】
電気／光変換器２０２は、時分割多重回路２０１から入力した時分割多重信号列を、第１波長λ１の光信号列（すなわち下り信号光Ｐｄ）に変換して、光カプラ２０５に送る。
【００２１】
レーザ光源２０３は、第２波長λ２の連続光（すなわち、ＣＷ(Continuous Wave) 光）Ｐｃを出力する。後述するように、この連続光Ｐｃは、上り通信用の搬送光として使用される。
【００２２】
光アイソレータ２０４は、レーザ光源２０３から出力された連続光Ｐｃを、光カプラ２０５に導く。この光アイソレータ２０４は、光ファイバ１４０から入力された上り信号光がレーザ光源２０４に入射されることを防止するために設けられている。
【００２３】
光カプラ２０５は、電気／光変換器２０２から入力された下り信号光Ｐｄと、光アイソレータ２０４から入力された連続光Ｐｃとを結合することにより、下り波長多重光Ｄ０を生成する。この下り波長多重光Ｄ０は、光サーキュレータ２０６に送られる。
【００２４】
光サーキュレータ２０６は、光カプラ２０５から入力された下り波長多重光Ｄ０を、光ファイバ１４０に出力する。また、光サーキュレータ２０６は、光ファイバ１４０から入力された上り信号光Ｕ０を、光／電気変換器２０７に送る。
【００２５】
光／電気変換器２０７は、光サーキュレータ２０６から入力された上り信号光Ｕ０を電気信号に変換して、時分割分離回路２０８に出力する。
【００２６】
時分割分離回路２０８は、時分割多重光Ｕ０を４系統の電気信号列Ｅｕ１〜Ｅｕ４に時分割分離して、外部装置（図示せず）に出力する。
【００２７】
図３は、分岐多重装置１２０の内部構成を概略的に示すブロック図である。
【００２８】
図３に示したように、分岐多重装置１２０は、光スプリッタ３０１と、光フィルタ３０２と、光／電気変換器３０３と、クロック再生回路３０４と、変調器駆動回路３０５と、変調器３０６−１〜３０６−４と、光／電気変換器３０７−１〜３０７−４と、可変遅延器駆動回路３０８−１〜３０８−４と、可変遅延器３０９−１〜３０９−４とを備えている。
【００２９】
光スプリッタ３０１は、光ファイバ１４０から下り波長多重光Ｄ０を受信して、二分岐する。分岐された下り波長多重光Ｄ０は、光フィルタ３０２および変調器３０６−１〜３０６−４に送られる。
【００３０】
光フィルタ３０２は、下り波長多重光Ｄ０を入力して、第１波長λ１の下り信号光Ｐｄのみを通過させる。
【００３１】
光／電気変換器３０３は、下り信号光Ｐｄを電気信号に変換する。
【００３２】
クロック再生回路３０４は、光／電気変換器３０３から入力された電気信号から、下り信号光Ｐｄに同期するクロックＣＬＫ１を再生する。
【００３３】
変調器駆動回路３０５は、クロックＣＬＫ１にしたがって、変調器３０６−１〜３０６−４を個別に駆動する。変調器駆動回路３０５による駆動制御の詳細については、後述する。
【００３４】
変調器３０６−１〜３０６−４は、変調器駆動回路３０５の制御に基づいて、下り波長多重光Ｄ０の変調を行う。これにより、下り波長多重光Ｄ０は、波長多重されたまま時分割分離される。また、変調器３０６−１〜３０６−４は、可変遅延器３０９−１〜３０９−４から入力した上り信号光Ｕ１〜Ｕ４を、光スプリッタ３０１および光／電気変換器３０７−１〜３０７−４に送る。
【００３５】
光／電気変換器３０７−１〜３０７−４は、入力した上り信号光Ｕ１〜Ｕ４の光強度に応じた電圧信号（或いは電流信号）を出力する。
【００３６】
可変遅延器駆動回路３０８−１〜３０８−４は、光／電気変換器３０７−１〜３０７−４から入力した信号の値に応じて、可変遅延器３０９−１〜３０９−４の遅延時間を制御する。
【００３７】
可変遅延器３０９−１〜３０９−４は、変調器３０６−１〜３０６−４から入力した波長多重光Ｄ１〜Ｄ４を、対応する光ファイバ１５０−１〜１５０−４に送る。また、可変遅延器３０９−１〜３０９−４は、光ファイバ１５０−１〜１５０−４から入力した上り信号光Ｕ１〜Ｕ４を遅延させて、変調器３０６−１〜３０６−４に送る。上り信号光Ｕ１〜Ｕ４の遅延時間は、変調器３０６−１〜３０６−４において波長多重光Ｄ１〜Ｄ４が通過するタイミングと上り信号光Ｕ１〜Ｕ４が通過するタイミングとが一致するように、制御される（後述）。
【００３８】
図４は、端末側装置１３０−１の内部構成を概略的に示すブロック図である。なお、他の端末側装置１３０−２〜１３０−４の内部構成も、図４と同様である。
【００３９】
図４に示したように、端末側装置１３０−１は、光サーキュレータ４０１と、ＷＤＭ(Wavelength Division Multiplexing)カプラ４０２と、光／電気変換器４０３と、変調器４０５と、変調器駆動回路４０４と、メディアアクセスコントローラ４０６とを備えている。
【００４０】
光サーキュレータ４０１は、光ファイバ１５０−１から入力した波長多重光Ｄ１をＷＤＭカプラ４０２に送るとともに、変調器４０５から入力した上り信号光Ｕ１を光ファイバ１５０−１に出力する。
【００４１】
ＷＤＭカプラ４０２は、光サーキュレータ４０１から入力した波長多重光Ｄ１を、電気信号列Ｅｄ１に対応する光信号列Ｐｄ１（第１波長λ１）と、連続光Ｐｃを４分周してなる光クロックＰｃ１（第２波長λ２）とに波長分離する。
【００４２】
光／電気変換器４０３は、ＷＤＭカプラ４０２から入力した光信号列Ｐｄ１を電気信号に変換する。これにより、電気信号列Ｅｄ１（図２参照）が復元される。
【００４３】
メディアアクセスコントローラ４０６は、ＯＳＩ(Open Systems Interconnection)参照モデルの第２層（データリンク層）で定義された、メディアアクセスコントロール(Media Access Control:MAC)を行う。メディアアクセスコントローラ４０６は、光／電気変換器４０３から電気信号列Ｅｄ１を受け取るとともに、変調器駆動回路４０４に送信用電気信号列Ｅｕ１を送る。
【００４４】
変調器駆動回路４０４は、電気信号列Ｅｕ１に信号値に応じて、変調器４０５を駆動する。
【００４５】
変調器４０５は、ＷＤＭカプラ４０２から入力した連続光Ｐｃ１を、変調駆動回路４０４の駆動制御にしたがって変調する。これにより、連続光Ｐｃ１を搬送波とした上り信号光Ｕ１が生成される。
【００４６】
次に、光通信システム１００の動作について、図５〜図８を用いて説明する。
【００４７】
図５は、光通信システム１００の下り方向の通信を説明するための、概念的な信号波形図である。
【００４８】
上述したように、外部装置から局装置１１０（図２参照）に入力された電気信号列Ｅｄ１〜Ｅｄ４は、時分割多重回路２０１で時分割多重され、さらに、電気／光変換器２０２で下り信号光Ｐｄに変換される。図５（Ａ）に、下り信号光Ｐｄの波形例を概念的に示す。一方、レーザ光源２０３は、連続光Ｐｃを生成・出力する。これらの光Ｐｄ，Ｐｃは、光カプラ２０５で波長多重されて、下り波長多重光Ｄ０となる。下り波長多重光Ｄ０は、光サーキュレータ２０６を介して光ファイバ１４０に出力され、分岐多重装置１２０（図３参照）に受信される。
【００４９】
分岐多重装置１２０に受信された下り波長多重光Ｄ０は、上述のように、光スプリッタ３０１で二分岐される。分岐された下り波長多重光Ｄ０の一方は、光フィルタ３０２で下り信号光Ｐｄのみを抽出され、光／電気変換器３０３で電気信号列に変換されて、クロック再生回路３０４に送られる。クロック再生回路３０４は、この電気信号列に同期するクロックＣＬＫ１を再生する。図５（Ｂ）に、再生されたクロックＣＬＫ１の波形を示す。
【００５０】
変調器駆動回路３０５は、クロックＣＬＫ１にしたがって駆動信号ｇ１〜ｇ４を生成し、変調器３０６−１〜３０６−４に送信する。図５（Ｃ）〜（Ｆ）に、駆動信号ｇ１〜ｇ４の波形を示す。図５（Ｃ）〜（Ｆ）から解るように、駆動信号ｇ１〜ｇ４は、クロックＣＬＫ１の１／４周期ずつ位相がずれるように遅延させて、出力される。
【００５１】
変調器３０６−１〜３０６−４は、駆動信号ｇ１〜ｇ４に基づいて、下り波長多重光Ｄ０を変調する。すなわち、変調器３０６−１〜３０６−４は、それぞれ、下り波長多重光Ｄ０からタイムスロットＴ１，Ｔ２，Ｔ３，Ｔ４の成分のみを抽出して通過させるゲートとして動作する。これらのゲートにより、下り波長多重光Ｄ０が時分割分離されて、波長多重光Ｄ１〜Ｄ４になる。波長多重光Ｄ１は、連続光Ｐｃを４分周することによって得られた光クロックＰｃ１（第２波長λ２、図５（Ｇ）参照）と、電気信号列Ｅｄ１に対応する光信号Ｐｄ１（第１波長λ１、図５（Ｈ）参照）とからなる波長多重光である。また、波長多重光Ｄ２は、光クロックＰｃ１から１／４周期ずれた光クロックＰｃ２（図５（Ｉ）参照）と、電気信号列Ｅｄ２に対応する光信号Ｐｄ２（図５（Ｊ）参照）とからなる。同様に、波長多重光Ｄ３は、光クロックＰｃ２から１／４周期ずれた光クロックＰｃ３（図５（Ｋ）参照）と、電気信号列Ｅｄ３に対応する光信号Ｐｄ３（図５（Ｌ）参照）とからなる。さらに、波長多重光Ｄ４は、光クロックＰｃ３から１／４周期ずれた光クロックＰｃ４（図５（Ｍ）参照）と、電気信号列Ｅｄ４に対応する光信号Ｐｄ４（図５（Ｎ）参照）とからなる。これらの波長多重光Ｄ１〜Ｄ４は、対応する可変遅延回路３０９−１〜３０９−４を介して光ファイバ１５０−１〜１５０−４に出力され、端末側装置１３０−１〜１３０−４（図４参照）に受信される。
【００５２】
端末側装置１３０−１に受信された波長多重光Ｄ１は、光サーキュレータ４０１を介して、ＷＤＭカプラ４０２に送られる。ＷＤＭカプラ４０２は、上述のように、波長多重光Ｄ１を、第１波長λ１の下り信号光Ｐｄ１と、第２波長λ２の光クロックＰｃ１とに、波長分離する。光／電気変換器４０３は、下り信号光Ｐｄ１から電気信号列Ｅｄ１を再生して、メディアアクセスコントローラ４０６に送る。
【００５３】
同様にして、他の端末側装置１３０−２〜１３０−４でも、波長多重光Ｄ２〜Ｄ４から下り信号光Ｐｄ２〜Ｐｄ４が波長分離され、さらに、これらの下り信号光Ｐｄ２〜Ｐｄ４から電気信号列Ｅｄ２〜Ｅｄ４が再生される。
【００５４】
図６は、光通信システム１００の上り方向の通信を説明するための、概念的な信号波形図である。ここで、図６（Ａ）は、クロック再生回路３０４（図３参照）で再生されたクロックＣＬＫ１の波形であり、図５（Ｂ）と同一である。また、図６（Ｃ），（Ｅ），（Ｇ），（Ｉ）は、変調器駆動回路３０５から出力される駆動信号ｇ１，ｇ２，ｇ３，ｇ４の波形であり、図５（Ｃ）〜（Ｆ）と同一である。
【００５５】
端末側装置１３０−１（図４参照）において、光クロックＰｃ４は、ＷＤＭカプラ４０２から、変調器４０５に送られる。変調器駆動回路４０４は、メディアアクセスコントローラ４０６から入力した電気信号Ｅｕ１に応じて、変調器４０５を駆動する。これにより、光クロックＰｃ１を搬送光とした、上り信号光Ｕ１が生成される。上り信号光Ｕ１は、光サーキュレータ４０１を介して、光ファイバ１５０−１に出力され、分岐多重装置１２０（図３参照）に送信される。
【００５６】
同様にして、他の端末側装置１３０−２〜１３０−４でも、光クロックＰｃ２〜Ｐｃ４を搬送光とする上り信号光Ｕ２〜Ｕ４が生成され、光ファイバ１５０−２〜１５０−４を介して分岐多重装置１２０に送られる。
【００５７】
分岐多重装置１２０の可変遅延器３０９−１〜３０９−４は、対応する上り信号光Ｕ１〜Ｕ４を受信して、変調器３０６−１〜３０６−４に送る。図６（Ｂ）は、上り通信開始直後において、上り信号光Ｕ１が変調器３０６−１を通過するタイミングを示す波形図である。
【００５８】
変調器３０６−１〜３０６−４は、上り信号光Ｕ１〜Ｕ４を、光スプリッタ３０１と、光／電気変換器３０７−１〜３０７−４とに送る。光／電気変換器３０７−１〜３０７−４は、上り信号光Ｕ１〜Ｕ４の光強度を、電圧信号（或いは電流信号）に変換して、可変遅延器３０９−１〜３０９−４に送る。この電圧信号（或いは電流信号）の値は、上り信号光Ｕ１〜Ｕ４の光強度を示す値となる。
【００５９】
可変遅延器３０９−１〜３０９−４は、受信信号の値に応じて、可変遅延器３０９−１〜３０９−４の遅延時間を制御する。図７は、変調器３０６−１に入力される上り信号光Ｕ１（図７ではＵ１(in)）と、変調器３０６−１から出力される上り信号光Ｕ１（図７ではＵ１(out) ）と、駆動信号ｇ１との関係を示す概念的な波形図である。図７（Ａ）に示したように、入力光Ｄ０(in)と駆動信号ｇ１とのタイミングが高精度に一致した場合、出力光Ｕ１(out) の光強度は大きくなる。これに対して、図７（Ｂ）に示したように、入力光Ｄ０(in)と駆動信号ｇ１とのタイミング一致度が低い場合、出力光Ｕ１(out) の光強度は小さくなる。また、図８は、入力光Ｄ０(in)と駆動信号ｇ１とのタイミング差（図６のτ１参照）と、出力光Ｕ１(out) の光強度との関係を示すグラフである。図８から解るように、出力光Ｕ１(out) の光強度は、入力光Ｄ０(in)と駆動信号ｇ１とのタイミング一致度と、変調器３０６−１の光路長とに依存して変化する。変調器３０６−１の光路長は一定であるため、上述した光／電気変換器３０７−１の出力信号値は、入力光Ｄ０(in)と駆動信号ｇ１とのタイミング一致度に応じて変化することになる。可変遅延器駆動回路３０８−１は、光／電気変換器３０７−１の出力信号値に基づき、出力光Ｄ１(out) の光強度が可能な限り大きくなるように、可変遅延器３０９−１の遅延時間を調整する。これにより、上り信号光Ｕ１および駆動信号ｇ１のタイミングは、高精度に一致するようになる（図６（Ｄ）参照）。また、可変遅延器３０９−２〜３０９−４でも、同様の調整が行われる。これにより、上り信号光Ｕ２〜Ｕ４および駆動信号ｇ２〜ｇ４のタイミングも、高精度に一致するようになる（図６（Ｅ）〜（Ｊ）参照）。
【００６０】
上り信号光Ｕ１〜Ｕ４は、変調器３０６−１〜３０６−４から出力され、光スプリッタ３０１で結合される。上述のように、上り信号光Ｕ１〜Ｕ４は、駆動信号ｇ１〜ｇ４を用いてタイミングを調整されているので、光スプリッタ３０１で結合されることにより、精度よく時分割多重される（図６（Ｋ）参照）。かかる時分割多重によって得られた上り信号光Ｕ０は、光ファイバ１４０を介して、局装置１１０（図２参照）に送られる。
【００６１】
局装置１１０（図２参照）に受信された上り信号光Ｕ０は、光サーキュレータ２０６を介して光／電気変換器２０８に送られ。電気信号列に変換される。時分割分離回路２０８は、この電気信号列を４系統の電気信号列Ｅｕ１〜Ｅｕ４に時分割分離して、外部装置に出力する。
【００６２】
以上説明したように、この実施形態では、分岐多重装置１２０内の変調器３０６−１〜３０６−４から出力される上り信号光Ｕ１〜Ｕ４の光強度に応じて遅延時間を制御することにより、当該上り信号光Ｕ１〜Ｕ４の時分割多重を行うことができる。したがって、局装置１１０や端末側装置１３０−１〜１３０−４は、上り信号光Ｄ１〜Ｄ４のタイミングを制御する必要がない。このため、この実施形態によれば、タイミング制御を簡単にして、システム構築コストを低減させることができる。
【００６３】
第２実施形態
次に、この発明の第２実施形態に係る光通信システムについて、図９〜図１１を用いて説明する。
【００６４】
上述の第１実施形態では、分岐多重装置１２０内で、下り波長多重光Ｄ０の時分割多重に使用するクロックを、下り信号光Ｐｄから再生した。これに対して、この実施形態では、当該クロックとして上り通信用の搬送光を使用することにより、システム構築コストのさらなる低減を実現する。
【００６５】
この実施形態に係る加入者系光通信システムの全体構成は、第１実施形態の場合（図１参照）と同様であるので、説明を省略する。
【００６６】
図９は、この実施形態に係る局装置９００の内部構成を概略的に示すブロック図である。図９において、図２と同じ符号を付した構成要素は、それぞれ図２の場合と同じものを示している。
【００６７】
図９に示したように、局装置９００は、変調器９０１を備えている。変調器９０１は、レーザ光源２０３から入力した連続光Ｐｃを変調することにより、パルス光Ｐｐを生成する。パルス光Ｐｐは、上り通信用の搬送光として、光カプラ２０５に送られる。
【００６８】
図１０は、この実施形態に係る分岐多重装置１０００の内部構成を概略的に示すブロック図である。図１０において、図３と同じ符号を付した構成要素は、それぞれ図３の場合と同じものを示している。
【００６９】
図１０に示したように、この実施形態に係る分岐多重装置１０００では、第１実施形態の光フィルタ３０２（第１波長λ１のみを通過させる光フィルタ）に代えて、第２波長λ２のみを通過させる光フィルタ１００１を備えている。
【００７０】
加えて、この実施形態に係る分岐多重装置１０００は、クロック再生回路３０４を備えていない点で、第１実施形態の分岐多重装置１２０と異なる。
【００７１】
また、端末側装置の内部構成は、第１実施形態と同様である。
【００７２】
以下、この実施形態に係る光通信システムの下り方向の通信動作について、図１１の概念的信号波形図を用いて説明する。
【００７３】
第１実施形態と同様、外部装置から局装置９００（図９参照）に入力された電気信号列Ｅｄ１〜Ｅｄ４は、時分割多重回路２０１で時分割多重され、さらに、電気／光変換器２０２で下り信号光Ｐｄに変換される。図１１（Ａ）に、下り信号光Ｐｄの波形例を概念的に示す。レーザ光源２０３は、連続光Ｐｃを生成・出力する。変調器９０１は、この連続光Ｐｃを変調することにより、パルス波形の搬送光Ｐｐを生成する。これらの光Ｐｄ，Ｐｐは、光カプラ２０５で波長多重されて、下り波長多重光Ｄ０となる。下り波長多重光Ｄ０は、光サーキュレータ２０６を介して光ファイバ１４０に出力され、分岐多重装置１０００（図１０参照）に受信される。
【００７４】
分岐多重装置１０００に受信された下り波長多重光Ｄ０は、上述のように、光スプリッタ３０１で二分岐される。光フィルタ１００１は、分岐された下り波長多重光Ｄ０の一方から、パルス搬送光Ｐｐのみを抽出する。光／電気変換器３０３は、パルス搬送光Ｐｐを、電気信号列に変換する。図１１（Ｂ）に、パルス搬送光Ｐｐの波形を示す。
【００７５】
変調器駆動回路３０５は、第１実施形態と同様、パルス搬送光Ｐｐにしたがって、駆動信号ｇ１〜ｇ４を生成し、変調器３０６−１〜３０６−４に送信する。
【００７６】
変調器３０６−１〜３０６−４は、駆動信号ｇ１〜ｇ４に基づいて、下り波長多重光Ｄ０を変調する。これにより、下り波長多重光Ｄ０が時分割分離されて、波長多重光Ｄ１〜Ｄ４になる。波長多重光Ｄ１は、連続光Ｐｃを４分周することによって得られた光クロックＰｃ１（第２波長λ２、図１１（Ｃ）参照）と、電気信号列Ｅｄ１に対応する光信号Ｐｄ１（第１波長λ１、図１１（Ｄ）参照）とからなる波長多重光である。また、波長多重光Ｄ２は、光クロックＰｃ１から１／４周期ずれた光クロックＰｃ２（図１１（Ｅ）参照）と、電気信号列Ｅｄ２に対応する光信号Ｐｄ２（図１１（Ｆ）参照）とからなる。同様に、波長多重光Ｄ３は、光クロックＰｃ２から１／４周期ずれた光クロックＰｃ３（図１１（Ｇ）参照）と、電気信号列Ｅｄ３に対応する光信号Ｐｄ３（図１１（Ｈ）参照）とからなる。さらに、波長多重光Ｄ４は、光クロックＰｃ３から１／４周期ずれた光クロックＰｃ４（図１１（Ｉ）参照）と、電気信号列Ｅｄ４に対応する光信号Ｐｄ４（図１１（Ｊ）参照）とからなる。これらの波長多重光Ｄ１〜Ｄ４は、対応する可変遅延回路３０９−１〜３０９−４を介して光ファイバ１５０−１〜１５０−４に出力され、端末側装置１３０−１〜１３０−４（図４参照）に受信される。
【００７７】
端末側装置１３０−１〜１３０−４の動作は、第１実施形態の場合と同様であるので、説明を省略する。
【００７８】
また、この実施形態に係る光通信システムの上り方向の通信動作も、第１実施形態の場合と同様であるので、説明を省略する。
【００７９】
以上説明したように、この実施形態に係る光通信システムによれば、分岐多重装置１０００内に高価なクロック再生回路を設ける必要がない。このため、第１実施形態よりもさらにシステム構築コストを低減させることができる。
【００８０】
また、この実施形態でも、第１実施形態と同じ理由により、タイミング制御を簡単にして、システム構築コストを低減させることができる。
【００８１】
第３実施形態
次に、この発明の第３実施形態に係る光通信システムについて、図１２〜図１５を用いて説明する。
【００８２】
上述の第１、第２実施形態では、上り方向の通信だけでなく、下り方向の通信にも時分割多重方式を使用する場合を説明した。これに対して、この実施形態では、下り方向の通信で、識別情報を用いた多重化を行う。
【００８３】
この実施形態に係る加入者系光通信システムの全体構成は、第１実施形態の場合（図１参照）と同様であるので、説明を省略する。
【００８４】
図１２は、この実施形態に係る局装置１２００の内部構成を概略的に示すブロック図である。図１２において、図２と同じ符号を付した構成要素は、それぞれ図２の場合と同じものを示している。
【００８５】
図１２に示したように、局装置１２００は、識別情報付与回路１２０１−１〜１２０１−４と、多重回路１２０２とを備えている。
【００８６】
識別情報付与回路１２０１−１〜１２０１−４は、対応する電気信号列（この実施形態では、各電気信号列は通信パケットを構成しているものとする）Ｅｄ１〜Ｅｄ４を受信し、当該電気信号列Ｅｄ１〜Ｅｄ４のヘッダに識別情報を付与する。識別情報は、当該電気信号列Ｅｄ１〜Ｅｄ４を受信する端末側装置１３０−１〜１３０−４を区別できるように規定される。
【００８７】
多重回路１２０２は、識別情報付与回路１２０１−１〜１２０１−４から受信した電気信号列Ｅｄ１〜Ｅｄ４を例えばパケット単位で順次結合することにより、多重電気信号列Ｅｄ０を生成する。
【００８８】
図１３は、この実施形態に係る分岐多重装置１３００の内部構成を概略的に示すブロック図である。図１３において、図３と同じ符号を付した構成要素は、それぞれ図３の場合と同じものを示している。
【００８９】
図１３に示したように、分岐多重装置１３００は、光カプラ１３０１と、光サーキュレータ１３０２−１〜１３０２−４とを備えている。
【００９０】
光カプラ１３０１は、変調器３０６−１〜３０６−４から出力された下り方向の光信号列Ｐｄ１〜Ｐｄ４を再び結合することによって下り波長多重光Ｄ０を再生し、光サーキュレータ１３０２−１〜１３０２−４に出力する。
【００９１】
光サーキュレータ１３０２−１〜１３０２−４は、光カプラ１３０１から入力した下り波長多重光Ｄ０を光ファイバ１５０−１〜１５０−４に出力し、且つ、光ファイバ１５０−１〜１５０−４から入力した上り信号光Ｕ１〜Ｕ４を可変遅延器３０９−１〜３０９−４に出力する。
【００９２】
図１４は、この実施形態に係る端末側装置１４００の内部構成を概略的に示すブロック図である。図１４において、図４と同じ符号を付した構成要素は、それぞれ図４の場合と同じものを示している。
【００９３】
図１４に示したように、端末側装置１４００は、識別回路１４０１を備えている。識別回路１４０１は、光／電気変換器４０３が復元した電気信号列Ｅｄ０から通信パケットのヘッダ部分を識別し、当該ヘッダから識別情報を順次読み出す。そして、識別回路１４０１は、この識別情報から、当該通信パケットが自己宛であるか否かを判断する。当該通信パケットが自己宛であると判断した場合、識別回路１４０１は、当該通信パケットをメディアアクセスコントローラ４０６に転送する。一方、自己宛ではないと判断した場合、識別回路１４０１は、当該通信パケットを廃棄する。
【００９４】
以下、この実施形態に係る光通信システムの下り方向の通信動作について、図１５の概念的信号波形図を用いて説明する。
【００９５】
識別情報付与回路１２０１−１〜１２０１−４は、対応する電気信号列Ｅｄ１〜Ｅｄ４を外部装置（図示せず）から受信し、当該電気信号列Ｅｄ１〜Ｅｄ４のヘッダに識別情報を付与して、多重回路１２０２に送る。
【００９６】
多重回路１２０２は、電気信号列Ｅｄ１〜Ｅｄ４を順次結合することによって電気信号列Ｅｄ０を生成し、電気／光変換器２０２に送る。電気信号列Ｅｄ０は、電気／光変換器２０２で下り信号光Ｐｄに変換される。図１５（Ａ）に、下り信号光Ｐｄの波形例を概念的に示す。一方、レーザ光源２０３は、連続光Ｐｃを生成・出力する。これらの光Ｐｄ，Ｐｃは、光カプラ２０５で波長多重されて下り波長多重光Ｄ０となり、光サーキュレータ２０６を介して光ファイバ１４０に出力される。
【００９７】
分岐多重装置１３００に受信された下り波長多重光Ｄ０は、第１実施形態と同様にして、下り信号光ＰｄからクロックＣＬＫ１を再生する。図１５（Ｂ）に、再生されたクロックＣＬＫ１の波形を示す。
【００９８】
変調器駆動回路３０５は、第１実施形態と同様にして、変調器３０６−１〜３０６−４を駆動する。これにより、変調器３０６−１〜３０６−４は、下り波長多重光Ｄ０を時分割分離して、波長多重光Ｄ１〜Ｄ４を生成する。各波長多重光Ｄ１〜Ｄ４は、連続光Ｐｃを４分周してなる光クロックＰｃ１〜Ｐｃ４（第２波長λ２、図１５（Ｃ）〜（Ｆ）参照）と、第１実施形態と同様、光信号Ｐｄ１〜Ｐｄ４（第１波長λ１、図１５（Ｇ）〜（Ｊ）参照）とからなる波長多重光である。
【００９９】
波長多重光Ｄ１〜Ｄ４は、光カプラ１３０１で再び結合される。これにより、下り波長多重光Ｄ０が再生される。この下り波長多重光Ｄ０は、光サーキュレータ１３０２−１〜１３０２−４を介して、光ファイバ１５０−１〜１５０−４に出力される。この結果、この実施形態では、４台の端末側装置１４００に、同一の下り波長多重光Ｄ０が送信される。
【０１００】
端末側装置１４００に受信された下り波長多重光Ｄ１は、光サーキュレータ４０１を介して、ＷＤＭカプラ４０２に送られる。ＷＤＭカプラ４０２は、下り波長多重光Ｄ１を、第１波長λ１の下り信号光Ｐｄと、第２波長λ２の光クロックＰｃとに、波長分離する。光／電気変換器４０３は、下り信号光Ｐｄから電気信号列Ｅｄ０を再生する。
【０１０１】
識別回路１４０１は、電気信号列Ｅｄ０内に含まれる各通信パケットのヘッダ部分から識別情報を読み出して、この識別情報から当該通信パケットの宛先を判断する。そして、識別回路１４０１は、自己宛の通信パケットのみを、メディアアクセスコントローラ４０６に転送する。
【０１０２】
この実施形態に係る光通信システムの上り方向の通信動作は、第１実施形態の場合と同様であるので、説明を省略する。
【０１０３】
以上説明したように、この実施形態に係る光通信システムによれば、下り方向の通信で、識別情報を用いた多重化を行うことができる。上述の第１、第２実施形態のように、下り方向の通信に時分割多重方式を採用した場合、すべての端末側装置に対して均等に通信時間が割り当てられるため、ある端末側装置に対する送信信号が存在しない場合でも、他の端末側装置に対する通信帯域を増やすことはできない。これに対して、この実施形態に係る通信システムでは、識別情報を用いて論理的な多重化を行うので、各端末側装置の下り通信帯域比は、利用状況に応じて適宜変更されることになる。したがって、この実施形態によれば、下り方向の伝送効率を高めて、各利用者装置の利用帯域を実質的に増大させることが可能である。
【０１０４】
加えて、この実施形態によれば、端末側装置１３０−１〜１３０−４がすべての下り信号光を受信するので、マルチキャストが可能になるなど、柔軟なサービスに対応することが可能になる。
【０１０５】
第４実施形態
次に、この発明の第４実施形態に係る光通信システムについて、図１６〜図１８を用いて説明する。
【０１０６】
上述の第１〜第３実施形態では、局装置が、電気信号列Ｅｄ１〜Ｅｄ４を時分割多重した後で光信号Ｐｄに変換し、且つ、上り信号光Ｕ０を電気信号に変換した後で時分割分離する場合を説明した。これに対して、この実施形態では、光信号を時分割多重することによって光信号Ｐｄを生成し、且つ、上り信号光Ｕ０を時分割分離した後で電気信号に変換する。
【０１０７】
この実施形態に係る加入者系光通信システムの全体構成は、第１実施形態の場合（図１参照）と同様であるので、説明を省略する。
【０１０８】
図１６は、この実施形態に係る局装置１６００の内部構成を概略的に示すブロック図である。図１６において、図２と同じ符号を付した構成要素は、それぞれ図２の場合と同じものを示している。
【０１０９】
図１６に示したように、局装置１６００は、レーザ光源１６０１，１６０２と、光カプラ１６０３と、基準クロック源１６０４と、変調器駆動回路１６０５と、変調器１６０６と、ＷＤＭカプラ１６０７と、信号源１６０８と、光時分割多重回路１６０９と、光カプラ１６１０と、光サーキュレータ１６１１と、光スプリッタ１６１２と、クロック再生回路１６１３と、変調器駆動回路１６１４と、変調器１６１５−１〜１６１５−４と、光／電気変換器１６１６−１〜１６１６−４とを備えている。
【０１１０】
レーザ光源１６０１は、第１波長λ１の連続光Ｐｃ１を出力する。
【０１１１】
レーザ光源１６０２は、第２波長λ２の連続光Ｐｃ２を出力する。
【０１１２】
光カプラ１６０３は、レーザ光源１６０１，１６０２から入力された連続光Ｐｃ１，Ｐｃ２を結合することにより、波長多重連続光Ｐｃ３を生成する。
【０１１３】
基準クロック源１６０４は、基準クロックＣＬＫ０を生成する。基準クロックＣＬＫの周期は、光時分割多重回路１６０９から出力される下り信号光Ｐｄの周期に応じて決定される。
【０１１４】
変調器駆動回路１６０５は、基準クロックＣＬＫ０に応じて、変調器１６０６を駆動する。
【０１１５】
変調器１６０６は、波長多重連続光Ｐｃ３を、変調器駆動回路１６０６の駆動制御に基づいて変調することにより、基準クロックＣＬＫ０と同じ周期の光短パルス列Ｐｃ４を生成する。
【０１１６】
ＷＤＭカプラ１６０７は、光短パルス列Ｐｃ４を、第１波長λ１の光短パルス列Ｐｃ５と、第２波長λ２の光短パルス列Ｐｃとに波長分離する。
【０１１７】
信号源１６０８は、下り方向の送信信号に対応する電気信号列Ｅｄ１〜Ｅｄ４を、光時分割多重回路１６０９に出力する。
【０１１８】
光時分割多重回路１６０９は、光短パルス列Ｐｃ５と電気信号列Ｅｄ１〜Ｅｄ４とを用いて、下り信号光Ｐｄを生成する（後述）。
【０１１９】
光カプラ１６１０は、ＷＤＭカプラ１６０７が出力した第２波長λ２の光短パルス列Ｐｃ（上り通信用の搬送光）と、光時分割多重回路１６０９が出力した第１波長λ１の下り信号光Ｐｄとを結合することにより、下り波長多重光Ｄ０を生成する。
【０１２０】
光サーキュレータ１６１１は、光カプラ１６１０が生成した波長多重光を光ファイバ１４０に出力するとともに、光ファイバ１４０から入力された上り信号光Ｕ０をスプリッタ１６１２に送る。
【０１２１】
スプリッタ１６１２は、上り信号光Ｕ０を、２分岐する。
【０１２２】
クロック再生回路１６１３は、上り信号光Ｕ０を入力して、この上り信号光Ｕ０に同期する光クロックＣＬＫ２を生成する。
【０１２３】
変調器駆動回路１６１４は、光クロックＣＬＫ２にしたがって、変調器１６１５−１〜１６１５−４を個別に駆動する。
【０１２４】
変調器１６１５−１〜１６１５−４は、変調器駆動回路１６１４の制御に基づいて、上り信号光Ｕ０の変調を行う。これにより、上り信号光Ｕ０は、信号光Ｕ１〜Ｕ４に時分割分離される。
【０１２５】
光／電気変換器１６１６−１〜１６１６−４は、信号光Ｕ１〜Ｕ４を電気信号に変換することにより、電気信号列Ｅｕ１〜Ｅｕ４を生成する。
【０１２６】
次に、この実施形態に係る光通信システムの動作ついて、図１７および図１８を用いて説明する。
【０１２７】
図１７は、この実施形態に係る光通信システムの下り方向の通信を説明するための、概念的な信号波形図である。
【０１２８】
上述のように、レーザ光源１６０１は第１波長λ１の連続光Ｐｃ１を、レーザ光源１６０２は第２波長λ２の連続光Ｐｃ２を、それぞれ出力する。これらの連続光Ｐｃ１，Ｐｃ２は、光カプラ１６０３で波長多重される。変調器１６０６は、このようにして得られた連続光Ｐｃ３から、基準クロックＣＬＫ０と同じ周期の光短パルス列Ｐｃ４を生成する。そして、光短パルス列Ｐｃ４は、ＷＤＭカプラ１６０７で、第１波長λ１の光短パルス列Ｐｃ５と、第２波長λ２の光短パルス列Ｐｃとに波長分離される。
【０１２９】
光時分割多重回路１６０９は、ＷＤＭカプラ１６０７から光短パルス列Ｐｃ５を入力して、内部で４分岐する。これにより、タイムスロットＴ１〜Ｔ４に対応する４系統の光短パルス列Ｃ１〜Ｃ４が得られる（図１７（Ｂ），（Ｄ），（Ｆ），（Ｈ）参照）。そして、分岐後の各光短パルス列を、電気信号列Ｅｄ１〜Ｅｄ４の信号値（図１７（Ｃ），（Ｅ），（Ｇ），（Ｉ）参照）に応じて変調する。これにより、４系統の光信号列が生成される。さらに、光時分割多重回路１６０９は、これらの光信号列を時分割多重する。これにより、下り信号光Ｐｄが生成される（図１７（Ａ）参照）。
【０１３０】
光カプラ１６１０は、上り通信用搬送光である光短パルス列Ｐｃと下り信号光Ｐｄとを波長多重する。このようにして生成された下り波長多重光Ｄ０は、光サーキュレータ１６１１および光ファイバ１４０を介して、分岐多重装置１２０（図１参照）に送られる。
【０１３１】
分岐多重装置１２０および端末側装置１３０−１〜１３０−４の下り通信動作は、上述の第１実施形態の場合と同様であるので、説明を省略する。
【０１３２】
図１８は、この実施形態に係る光通信システムの上り方向の通信を説明するための、概念的な信号波形図である。
【０１３３】
端末側装置１３０−１〜１３０−４（図１参照）は、第１実施形態と同様にして、上り信号光Ｕ１〜Ｕ４を生成する。さらに、分岐多重装置１２０は、第１実施形態と同様にして、上り信号光Ｕ０を生成して、この実施形態に係る局装置に送信する。
【０１３４】
上り信号光Ｕ０（図１８（Ａ）参照）は、局装置に受信されると、光サーキュレータ１６１１を介して、スプリッタ１６１２に送られる。スプリッタ１６１２は、上り信号光Ｕ０を２分岐して、クロック再生回路１６１３および変調器１６１５−１〜１６１５−４に送る。
【０１３５】
クロック再生回路１６１３は、上り信号光Ｕ０に同期するクロックＣＬＫ２を再生する（図１８（Ｂ）参照）。このように、この実施形態では、上り信号光Ｕ０を電気信号列に変換することなく、クロックＣＬＫ２の再生に使用する。
【０１３６】
変調器駆動回路１６１４は、クロックＣＬＫ２を４分周することにより、駆動信号Ｒｇ１〜Ｒｇ４を生成する（図１８（Ｃ）〜（Ｆ）参照）。
【０１３７】
変調器１６１５−１〜１６１５−４は、駆動信号Ｒｇ１〜Ｒｇ４に基づいて、上り信号光Ｕ０を変調する。すなわち、変調器１６１５−１〜１６１５−４は、それぞれ、上り信号光Ｕ０からタイムスロットＴ１，Ｔ２，Ｔ３，Ｔ４の成分のみを抽出して通過させるゲートとして動作する。これらのゲートにより、上り信号光Ｕ０が時分割分離されて、信号光Ｕ１〜Ｕ４が再生される。
【０１３８】
そして、光／電気変換器１６１６−１〜１６１６−４が信号光Ｕ１〜Ｕ４を電気信号に変換することにより、電気信号列Ｅｕ１〜Ｅｕ４が得られる（図１８（Ｇ）〜（Ｊ）参照）。
【０１３９】
以上説明したように、この実施形態では、光信号を時分割多重することによって光信号Ｐｄを生成し、且つ、上り信号光Ｕ０を時分割分離した後で電気信号に変換することができる。したがって、この実施形態によれば、局装置における時分割多重処理および時分割分離処理を高速で行うことができる。
【図面の簡単な説明】
【０１４０】
【図１】各実施形態に係る加入者系光通信システムの全体構成を概念的に示すブロック図である。
【図２】第１実施形態に係る局装置の内部構成を概略的に示すブロック図である。
【図３】第１実施形態に係る分岐多重装置の内部構成を概略的に示すブロック図である。
【図４】第１実施形態に係る端末側装置の内部構成を概略的に示すブロック図である。
【図５】第１実施形態に係る光通信システムの、下り方向の通信を説明するための概念的な信号波形図である。
【図６】第１実施形態に係る光通信システムの、上り方向の通信を説明するための概念的な信号波形図である。
【図７】第１実施形態に係る光通信システムの、上り方向の通信を説明するための概念的な信号波形図である。
【図８】第１実施形態に係る光通信システムの、上り方向の通信を説明するためのグラフである。
【図９】第２実施形態に係る局装置の内部構成を概略的に示すブロック図である。
【図１０】第２実施形態に係る分岐多重装置の内部構成を概略的に示すブロック図である。
【図１１】第２実施形態に係る光通信システムの、下り方向の通信を説明するための概念的な信号波形図である。
【図１２】第３実施形態に係る局装置の内部構成を概略的に示すブロック図である。
【図１３】第３実施形態に係る分岐多重装置の内部構成を概略的に示すブロック図である。
【図１４】第３実施形態に係る端末側装置の内部構成を概略的に示すブロック図である。
【図１５】第３実施形態に係る光通信システムの、下り方向の通信を説明するための概念的な信号波形図である。
【図１６】第４実施形態に係る局装置の内部構成を概略的に示すブロック図である。
【図１７】第４実施形態に係る光通信システムの、下り方向の通信を説明するための概念的な信号波形図である。
【図１８】第４実施形態に係る光通信システムの、上り方向の通信を説明するための概念的な信号波形図である。
【符号の説明】
【０１４１】
１００  加入者系光通信システム
１１０  局装置
１２０  分岐多重装置
１３０−１〜１３０−４  端末側装置
１４０，１５０−１〜１５０−４  光ファイバ
２０１  時分割多重回路
２０２  電気／光変換器
２０３  レーザ光源
２０４  光アイソレータ
２０５  光カプラ
２０６  光サーキュレータ
２０７  光／電気変換器
２０８  時分割分離回路
３０１  光スプリッタ
３０２  光フィルタ
３０３  光／電気変換器
３０４  クロック再生回路
３０５  変調器駆動回路
３０６−１〜３０６−４  変調器
３０７−１〜３０７−４  光／電気変換器
３０８−１〜３０８−４  可変遅延駆動回路
３０９−１〜３０９−４  可変遅延器
４０１  光サーキュレータ
４０２  ＷＤＭカプラ
４０３  光／電気変換器
４０４  変調器駆動回路
４０５  変調器
４０６  メディアアクセスコントローラ
【図１】
2006319899.tif 000003
【図２】
2006319899.tif 000004
【図３】
2006319899.tif 000005
【図４】
2006319899.tif 000006
【図５】
2006319899.tif 000007
【図６】
2006319899.tif 000008
【図７】
2006319899.tif 000009
【図８】
2006319899.tif 000010
【図９】
2006319899.tif 000011
【図１０】
2006319899.tif 000012
【図１１】
2006319899.tif 000013
【図１２】
2006319899.tif 000014
【図１３】
2006319899.tif 000015
【図１４】
2006319899.tif 000016
【図１５】
2006319899.tif 000017
【図１６】
2006319899.tif 000018
【図１７】
2006319899.tif 000019
【図１８】
2006319899.tif 000020